(57)【特許請求の範囲】
【請求項１】
収納空間を形成する筐体と、
前記筐体内に対して物品を出し入れ可能とする開閉体と、
前記開閉体に設けられる電気機器と、
前記電気機器に電力を供給可能とする電源装置と、を備え、
前記電源装置は、太陽電池と、前記太陽電池により充電可能であるとともに前記電気機器に給電可能な蓄電体と、を備え、
前記太陽電池は、前記開閉体に取り付けられ、前記蓄電体は、前記筐体に取り付けられ、
前記開閉体及び筐体の間に、前記開閉体に取り付けられる前記太陽電池と前記筐体に取り付けられる前記蓄電体とを電気的に接続可能なコネクタ部を備え、
前記コネクタ部は、前記開閉体の閉時に電気的に接続状態となり、前記開閉体の開時に切断状態となる什器。
【請求項２】
前記開閉体を含む引き出しを備え、
前記コネクタ部は、前記引き出しの閉時に係合状態となるラッチ部に設けられる請求項１に記載の什器。
【請求項３】
前記開閉体を含む引き出しを備え、
前記コネクタ部は、前記引き出しの表板である前記開閉体の外周裏面に設けられる請求項１に記載の什器。
【請求項４】
前記開閉体を含む引き出しを備え、
前記コネクタ部は、前記引き出しの引き出し方向奥側に位置する奥板の裏面に設けられる請求項１に記載の什器。
【発明の詳細な説明】
【技術分野】
【０００１】
本発明は、太陽電池を備える什器に関する。
【背景技術】
【０００２】
オフィス収納等の什器においては、顧客情報などの重要書類や発表前の機密文書など、さまざまな重要情報や重要文書が保管されている。このような什器では、重要な情報等の漏洩を防ぐための対策として、例えば収納部の開閉体に電気錠を備えるものがある。そして、電気錠のような電気機器の駆動電力を得るために、例えば特許文献１には、ソーラーパネル（太陽電池）を備える什器が開示されている。
【先行技術文献】
【特許文献】
【０００３】
【特許文献１】特開２００６−２３０７７１号公報
【発明の概要】
【発明が解決しようとする課題】
【０００４】
太陽電池は、通常、二次電池又は電気二重層コンデンサ等の再充電可能な蓄電体と組み合わされて、電気機器の電源装置を構成する。
ところで、近年の太陽電池では、発電効率が向上し、低照度下においても発電可能なものが開発されることで、天井照明等の低照度の室内灯でも蓄電体に充電が可能になっている。また、電気錠の消費電力も低下しており、太陽電池で発電した電力によって電気錠を駆動させることが可能な什器への要望が高まっている。
蓄電体を備えることで外部電源とは切り離した什器は、外部電源を用いるものに比べて、配線の引き回しが無い分、コストを下げるとともに配線処理の煩わしさを無くす利点がある。蓄電体の充電は太陽電池の発電により行うことができる。
しかしながら、太陽電池により充電可能な蓄電体を電気機器とともに全ての開閉体に取り付けると、蓄電体の数が増えてコストが増大するとともに、蓄電体が什器の収納容量を減少させるという課題がある。
【０００５】
本発明は、上記の課題に鑑みてなされたもので、太陽電池を備える什器において、太陽電池により充電可能な蓄電体によるコスト及び収納容量への影響を抑えることを目的とする。
【課題を解決するための手段】
【０００６】
上記目的を達成するために、本発明は以下の手段を採用している。
すなわち、本発明に係る什器は、収納空間を形成する筐体と、前記筐体内に対して物品を出し入れ可能とする開閉体と、前記開閉体に設けられる電気機器と、前記電気機器に電力を供給可能とする電源装置と、を備え、前記電源装置は、太陽電池と、前記太陽電池により充電可能であるとともに前記電気機器に給電可能な蓄電体と、を備え、前記太陽電池は、前記開閉体に取り付けられ、前記蓄電体は、前記筐体に取り付けられる。
この構成によれば、蓄電体から複数の電気機器に給電し易くなり、蓄電体を電気機器とともに全ての開閉体に取り付ける場合と比べて、蓄電体の数を容易に減らすことができる。
また、比較的大型の筐体に蓄電体を取り付けることで、蓄電体の取り付けスペースを確保し易くなり、蓄電体を開閉体に取り付ける場合と比べて、蓄電体の収納スペースへの張り出しを抑えることができる。
また、蓄電体を筐体に取り付けることで、開閉体の構造が簡素化され、開閉体の設計自由度を向上させるとともに、開閉体の重量及び嵩が低減して什器の組み立て及び設置の作業性を向上させ、かつ開閉体の開閉を軽快にすることができる。
【０００７】
また、上記什器において、前記開閉体及び筐体の間に、前記開閉体に取り付けられる前記太陽電池と前記筐体に取り付けられる前記蓄電体とを電気的に接続可能なコネクタ部を備え、前記コネクタ部は、前記開閉体の閉時に電気的に接続状態となり、前記開閉体の開時に切断状態となる構成でもよい。
この構成によれば、開閉体を筐体に組み付けて閉状態とするのみで、筐体に取り付けた蓄電体を開閉体に取り付けた太陽電池で充電可能とすることができる。また、コネクタ部を開閉体の開閉動作検知用のリミットスイッチとして利用し、専用のリミットスイッチを不要にしてコストダウンを図ることができる。
【０００８】
また、上記什器において、前記開閉体を含む引き出しを備え、前記コネクタ部は、前記引き出しの閉時に係合状態となるラッチ部に設けられる構成でもよい。
また、上記什器において、前記開閉体を含む引き出しを備え、前記コネクタ部は、前記引き出しの表板である前記開閉体の外周裏面に設けられる構成でもよい。
また、上記什器において、前記開閉体を含む引き出しを備え、前記コネクタ部は、前記引き出しの引き出し方向奥側に位置する奥板の裏面に設けられる構成でもよい。
この構成によれば、コネクタ部の露出を抑え、外観向上及び接触防止を図ることができる。
【０００９】
また、上記什器において、前記開閉体及び筐体の間に、前記開閉体を前記筐体に開閉動可能に連結する連結部を備え、前記連結部を介して、前記開閉体に取り付けられる前記太陽電池と前記筐体に取り付けられる前記蓄電体とが電気的に接続される構成でもよい。
この構成によれば、開閉体を筐体に組み付けるのみで、筐体に取り付けた蓄電体を開閉体に取り付けた太陽電池で充電可能とすることができる。
【発明の効果】
【００１０】
本発明によれば、太陽電池により充電可能な蓄電体によるコスト及び収納容量への影響を抑えることができる。
【図面の簡単な説明】
【００１１】
【図１】この発明の第一実施形態における什器の斜視図である。
【図２】図１の什器の変形例を示す斜視図である。
【図３】この発明の第二実施形態における什器の斜視図である。
【図４】図３の什器の変形例を示す斜視図である。
【図５】この発明の第三実施形態における什器の斜視図である。
【図６】図５の什器の変形例を示す斜視図である。
【図７】この発明の第四実施形態における什器の斜視図である。
【図８】図７の什器の変形例を示す斜視図である。
【図９】引き出し式の什器の引き出しの斜視図である。
【図１０】引き出し式の什器の側面説明図である。
【図１１】引き出し式の什器の筐体の前面説明図である。
【図１２】ヒンジ開閉式の什器の斜視図である。
【図１３】引き出し式の什器のラッチ部周辺の上面図である。
【図１４】上記什器の太陽電池、蓄電体及び電気機器を含む回路図である。
【図１５】引き出し式の什器の分解斜視図である。
【発明を実施するための形態】
【００１２】
以下、本発明の実施形態について図面を参照して説明する。
図１に示す什器１Ａは、執務室等で用いられるオフィス収納（キャビネット）である。什器１Ａは、床上に載置される直方体形状の筐体２と、筐体２の前面開口を開閉する複数の開閉体３と、を備える。各開閉体３は、什器１Ａにおける垂直な前面に沿う板状をなし、前面視で水平方向に長い長方形状に形成される。以下、前面視の水平方向を左右方向とする。各開閉体３は、図１に示す例では上下三段に並んで設けられる。
【００１３】
図９〜図１１を併せて参照し、各開閉体３は、筐体２内に出し入れされる収納部４を一体に備える。各開閉体３は、一体をなす収納部４とともに什器１Ａの引き出し５を構成する。各収納部４は、水平な底板４ａを有して上方に開放する直方体形状に設けられる。各収納部４は、底板４ａ、前後板４ｂ，４ｃ並びに左右側板４ｄを備える。前板４ｂは開閉体３で構成してもよい。開閉体３を引き出し５の表板、後板４ｃを引き出し５の奥板ということがある。開閉体３は、前面視で左右幅及び上下幅が収納部４よりも広い。以下、開閉体３における前面視で収納部４よりも外側に張り出す部分を外周部３ａという。
【００１４】
筐体２は、上板（天井板）２ａ、後板２ｂ、左右側板２ｃ並びに下板２ｄを備える。上板２ａは、什器１Ａにおける水平な天面を形成する。後板２ｂは、什器１Ａにおける垂直な後面を形成する。左右側板２ｃは、什器１Ａにおける垂直な左右側面を形成する。
図１５を併せて参照し、左右側板２ｃの内側面には、上下方向に延びる前後の側部補強フレーム６ａ，６ｂが設けられる。前後の側部補強フレーム６ａ，６ｂの下端部間は、それぞれ下板２ｄ上面で左右方向に延びる前後の下部補強フレーム７ａ，７ｂにより連結される。前後の下部補強フレーム７ａ，７ｂは、下板２ｄとともに筐体２のベース部８を構成する。図示は略すが、前後の側部補強フレーム６ａ，６ｂの上端部間は、それぞれ上板２ａ下面で左右方向に延びる前後の上部補強フレームにより連結される。
【００１５】
図１０、図１１を参照し、筐体２は、上下に並ぶ引き出し５の間を仕切る複数の仕切り板９を備える。これら複数の仕切り板９により、筐体２の内部空間は、複数の引き出し５の収納部４を個々に出し入れ可能な複数の引き出し収納空間５ｂに仕切られる。各引き出し収納空間５ｂにおいて、左右側板２ｃの内側面には、前後方向に延びるスライドレール１０が設けられる。スライドレール１０は、引き出し５の収納部４の左右側板４ｄに設けられるスライド部５ａを前後移動可能に支持する。各引き出し収納空間５ｂの前端開口の外周には、左右側板２ｃ及び上下板２ａ，２ｄ並びに各仕切り板９の前端縁部により枠状の框部１１が形成される。
【００１６】
各引き出し５の開閉体３は、収納部４を引き出し収納空間５ｂに納めた際に、引き出し収納空間５ｂの前端開口を閉じる。このとき、開閉体３の外周部３ａは、引き出し収納空間５ｂの框部１１に対向してほぼ当接する。全ての引き出し５の収納部４を筐体２内に納めると、複数の開閉体３により筐体２の前面開口が閉じられる。
【００１７】
図１の例では、開閉体３の前面中央部に把手１２が設けられる。開閉体３の前面には、例えば把手１２の左右他側（図では左側）に施解錠装置１３が設けられる。一部の開閉体３の前面には、例えば把手１２の左右一側（図では右側）に太陽電池（ソーラーパネル、電源装置）１４が設けられる。
把手１２は、開閉体３の前面に形成された凹部内に移動可能に配置される。把手１２は、従来公知の構成、例えば特開２０１１−２４１５９９号公報に開示された「把手３」と同様の構成を備える。
【００１８】
図１３を併せて参照し、把手１２は、例えば引き出し５の左右両側に揺動可能に軸支されるラッチ板１２ａに不図示のロッド等の連結手段を介して連結される。ラッチ板１２ａは、慣用の付勢手段により遊端側が筐体２側に向けて付勢される。ラッチ板１２ａの遊端側は、筐体２側に固設される係止爪１２ｂに対して係合及び離脱可能とされる。ラッチ板１２ａは、把手１２の非操作時には、引き出し５の全閉時において遊端側を係止爪１２ｂに係合させ、引き出し５の引き出しをロックする。この状態から把手１２を操作すると、ラッチ板１２ａが揺動してその遊端側と係止爪１２ｂとの係合を解除させ、引き出し５を引き出し可能とする。すなわち、ラッチ板１２ａ及び係止爪１２ｂを含むラッチ部１２ｃは、引き出し５の閉時に係合状態となって引き出し５の意図せぬ引き出しを抑止する。
【００１９】
図１、図１４を参照し、施解錠装置１３は、電気機器としての電気式施解錠装置（電気錠）１３ａを備える。電気式施解錠装置１３ａは、例えばソレノイドユニット及び該ソレノイドユニットを作動させる制御基板（何れも不図示）等を備える。施解錠装置１３は、電気式施解錠装置１３ａを強制的に解錠可能な機械式施解錠装置（不図示）を備える。電気式施解錠装置１３ａ及び機械式施解錠装置は、従来公知の構成、例えば特開２０１１−２４１５９９号公報に開示された「電気式施解錠装置２６」、「機械式施解錠装置２５」と同様の構成を備える。
【００２０】
前記制御基板は、什器１Ａに搭載された二次電池（電源）１５に電気的に接続される。電気式施解錠装置１３ａは、例えば什器１Ａから離れた場所にあるメインコントローラ（不図示）のカードリーダに認証カードを近づけると、この認証カードに対応する開閉体が解錠準備状態となり、その状態で当該対応する開閉体の解錠ボタンを押す等の操作を行うことで、前記ソレノイドユニットが作動し、電気式施解錠装置１３ａが解錠される。
【００２１】
太陽電池１４は、出力される電力によって二次電池１５を充電することができるように、二次電池１５と並列に電気的に接続される。これにより、定期的に二次電池１５の充電作業を実施することなく、常に二次電池１５を充電状態とし、その電力により電気錠の施解錠を行うことが可能となる。太陽電池１４と二次電池１５との間を電気的に接続する電路には、二次電池１５から太陽電池１４への電流の流れを阻止するダイオード１６のみが介在させている。一般的に、二次電池１５を保護する目的で組み込まれる定電圧回路及び過充電防止回路は、それ自体が電力を消費してしまうため、本実施形態では省略している。
【００２２】
本実施形態で太陽電池１４を取り付ける什器は、オフィス等の室内に設置されるものであり、屋外に比べて照射される光量も制限されるため、太陽電池１４から出力される電力量も限られる。このため、電力の消費要素となるものを極力省くことで、二次電池１５を最大限充電可能とする。また、室内の照射光で期待できる太陽電池１４の発電量に対して、二次電池１５の容量は十分に大きく、二次電池１５の電圧に引き込まれるので、二次電池１５の電圧に収めるための定電圧回路を必要としない。また、トリクル充電以下の発電量であるため、過充電防止対策も必要としない。したがって、太陽電池１４と二次電池１５との問を電気的に接続する電路に、二次電池１５から太陽電池１４への電流の流れを阻止するダイオード１６のみを介在させた電気回路を適用可能である。
【００２３】
図１を参照し、太陽電池１４は、矩形の薄板状に形成されたモジュールであり、厚さ方向の一側面を受光面とする。太陽電池１４は、受光面を開閉体３の前面に沿わせ、図１の例では横長の姿勢（開閉体３と長手方向を一致させた姿勢）で配置され、開閉体３と一体的に開閉動する。太陽電池１４は、自然光（太陽光）及び屋内照明光を受けて起電し、生成した電力を二次電池１５に供給可能とする。太陽電池１４が開閉体３の前面に配置されることで、受光面に物品等が置かれて採光量を低下させる虞が無く、かつ受光面が開閉体３の前面に配置されることから、壁又は他の什器等の隣接により採光量を低下させる虞も無い。
【００２４】
太陽電池１４は、照度の明暗及びムラ等に起因して起電力が変動し易いので、電気式施解錠装置１３ａと直には電気的に接続されず、二次電池１５を介して電気式施解錠装置１３ａに電気的に接続される。二次電池１５は、電気式施解錠装置１３ａに電力を供給して駆動させる。二次電池１５は、太陽電池１４の発電により再充電可能とされる。
【００２５】
太陽電池１４は、複数段の引き出し５の内、一部の引き出し５の開閉体３に取り付けられる。具体的に、太陽電池１４は、最上段の引き出し５を含み、最下段の引き出し５を避けた引き出し５の開閉体３に取り付けられる。図１に示す例では、太陽電池１４は、最下段の引き出し５のみを避けて上二段の引き出し５の開閉体３に取り付けられる。太陽電池１４は、什器１Ａにおける極力光の当たり易い位置に集約して配置されることで、設置数及びサイズの増加が抑えられる。太陽電池１４は、少なくとも引き出し５及び電気式施解錠装置１３ａの数よりも少ない数に設けられる。
【００２６】
図１に示す什器１Ａでは、電気式施解錠装置１３ａ及び二次電池１５は、全引き出し５の開閉体３に取り付けられる。各引き出し５において、二次電池１５と電気式施解錠装置１３ａとは、配線１７を介して電気的に接続される。上二段の引き出し５の太陽電池１４は、それぞれ上二段の引き出し５の二次電池１５と配線１８を介して電気的に接続される。両太陽電池１４は、配線１９ａ等を介して互いに電気的に接続されるとともに、配線１９ｂ等を介して最下段の引き出し５の二次電池１５に電気的に接続される。配線１９ａ，１９ｂは、少なくとも一部が筐体２に配置されてもよい。
【００２７】
図２に示す什器１Ｂでは、太陽電池１４は、最上段の引き出し５の開閉体３のみに取り付けられ、電気式施解錠装置１３ａは、全引き出し５の開閉体３に取り付けられ、二次電池１５は、各引き出し５とは分離して筐体２の例えば上板２ａに取り付けられる。太陽電池１４は、配線２１等を介して二次電池１５に電気的に接続される。二次電池１５は、配線２２等を介して各引き出し５の電気式施解錠装置１３ａに電気的に接続される。配線２２は、少なくとも一部が筐体２に配置されてもよい。
【００２８】
図２に示す什器１Ｂでは、二次電池１５は、筐体２の上板２ａに沿うように配置される。二次電池１５は、上板２ａの他、左右側板２ｃ、後板２ｂ及び下板２ｄの何れかの板部に沿うように配置されてもよい。これにより、筐体２の内部空間（収納空間）への二次電池１５の張り出しが抑えられ、什器１Ａの収納容量が確保される。複数の開閉体３に二次電池１５が配置される場合と比べて、二次電池１５の数が減ることによりコスト増が抑えられるとともに、太陽電池１４の配置自由度が向上してより効率よく発電可能となる。二次電池１５は、筐体２の上板２ａ、左右側板２ｃ、後板２ｂ及び下板２ｄの内、複数の板部に配置してもよい。
【００２９】
図３、図４に示す例は、複数のヒンジ開閉式の扉（開閉体３３）を備える什器である。
図３に示す什器１Ｃでは、左右に並ぶ一対のヒンジ開閉式の開閉体３３が上下三段に並んで設けられ、最上段の一対の開閉体３３にそれぞれ太陽電池１４が取り付けられ、電気式施解錠装置１３ａは全開閉体３３に取り付けられ、二次電池１５は各引き出し５とは分離して筐体２の例えば上板２ａに取り付けられる。両太陽電池１４は、配線２３等を介して互いに電気的に接続されるとともに二次電池１５に電気的に接続される。二次電池１５は、配線２４等を介して各開閉体３３の電気式施解錠装置１３ａに電気的に接続される。配線２３，２４は、少なくとも一部が筐体２に配置されてもよい。
【００３０】
図４に示す什器１Ｄは、図３の例に対し、太陽電池１４が最上段の一対の開閉体３３の一方のみに取り付けられる点で異なる。
図３、図４に示す例では、各段の一対の開閉体３３が図中右側のヒンジ３０を介して同一方向に開閉する。太陽電池１４は、開閉体３３のヒンジ３０側で縦長に配置され、開閉体３３の開閉が重くなり難くする。各段の一対の開閉体３３は、所謂観音開きに開閉する構成でもよい。
【００３１】
複数の開閉体３，３３の全てに太陽電池１４及び二次電池１５を設けると、特に開閉体３，３３の数が多い場合には大きなコストアップとなる。太陽電池１４を少なくとも電気機器を備える開閉体３，３３の数よりも少ない数に設け、効率よく発電できる位置（上段側）に限定、集約して太陽電池１４を配置するとともに、二次電池１５を少なくとも前記開閉体３，３３の数よりも少ない数に設けることで、開閉体３，３３を多数設ける場合にもコストアップが抑えられる。
【００３２】
例えば、太陽電池１４又は二次電池１５を何れかの開閉体に集約して配置した場合、該開閉体が閉じたときにのみ他の開閉体の電気式施解錠装置１３ａへの電力供給を可能とすると、該開閉体の開閉状況によって他の開閉体の電気式施解錠装置１３ａを駆動できなくなる。このため、開閉体を開いた状態でも他の開閉体に電力供給できるように、例えば引き出し式の開閉体３であれば、金属製のスライドレール１０等の連結部を含んで、開閉体に配置した二次電池１５と他の開閉体の電気式施解錠装置１３ａとの間の電路を形成してもよい。また、例えばヒンジ開閉式の開閉体３３であれば、金属製のヒンジ３０等の連結部を含んで前記電路を形成してもよい。前記連結部は、開閉体３，３３を筐体２に開閉動可能に連結する機能を有するものであり、単なる着脱自在な通電コネクタとは異なる。スライドレール１０及びヒンジ３０等の開閉部品を用いて電路を形成することで、弛み又は伸縮代を有する配線を用いる場合と比べて、配線と開閉体との干渉等が無くなる。スライドレール１０及びヒンジ３０等の開閉部品とは別に、開閉体の開閉に応じて接点を摺動させる可動接点を含む電路を形成してもよい。また、適宜の配線を用いて電路を形成することも可能である。
【００３３】
開閉体３，３３を開く際、引き出し式の開閉体３の場合には、前面側に使用者が立っていたり、ヒンジ開閉式の開閉体３３の場合には、前面が筐体２側を向いてしまったりする。このため、例え太陽電池１４を光の当たり易い開閉体３，３３に取り付けたとしても、開閉体３，３３を開く際には、その前面に取り付けた太陽電池１４への光の当たりが阻害され、太陽電池１４の発電量が低下する。また、開閉体３，３３を開いている時間は、開閉体３，３３を閉じている時間よりも短い。このような理由から、前述のような電路の工夫を行うことなく、開閉体３，３３を閉じたときのみ太陽電池１４を充電可能とする構成としても、開閉体３，３３の開時にはそもそも発電量が少ないことから、可動接点等を無くすことによるコストメリットの方が大きいと考えられる。
【００３４】
図５に示す什器１Ｅは、複数のヒンジ開閉式の開閉体３３が上下に並ばず左右に並ぶ構成で、開閉体３３の上下中間部を境に、開閉体３３の下半部を避けて上半部に太陽電池１４を取り付ける。この構成でも、上段側の開閉体３に太陽電池１４を取り付ける場合と同様、太陽電池１４が什器１Ｅにおける極力光の当たり易い位置に集約して配置され、設置数及びサイズの増加が抑えられる。この構成は、単一の開閉体のみを備える什器にも適用できる。なお、単一の開閉体はヒンジ開閉式か引き出し式かは問わない。
【００３５】
図５に示す什器１Ｅでは、三つの筐体２が左右に並んで設けられ、各筐体２の前面開口がそれぞれ観音開きの一対の開閉体３３により開閉される。換言すれば、各筐体２と一対の開閉体３３とを組み付けた組付体２Ｅが左右に三つ並んで設けられる。
各筐体２を開閉する一対の開閉体３３の内、図中右側の開閉体３３Ｒには二次電池１５及び電気式施解錠装置１３ａが取り付けられる。図中左側の開閉体３３Ｌは、右側の開閉体３３Ｒの施解錠に伴い施解錠される。太陽電池１４は、一開閉体３３のみに取り付けられる。太陽電池１４は、自身が取り付けられる開閉体３３の二次電池１５と配線２５を介して電気的に接続されるとともに、他の開閉体３３の二次電池１５と配線２６等を介して電気的に接続される。配線２６は、三つの筐体２間（組付体２Ｅ間）において、図中左側の組付体２Ｅの開閉体３３Ｒに取り付けられる太陽電池１４と、図中中央及び右側の各組付体２Ｅの二次電池１５とを電気的に接続する。配線２６は、少なくとも一部が筐体２に配置されてもよい。二次電池１５が取り付けられる開閉体３３において、二次電池１５と電気式施解錠装置１３ａとは配線２７を介して電気的に接続される。
【００３６】
図６に示す什器１Ｆは、図５の例に対し、二次電池１５が各開閉体３３とは分離して一筐体２の例えば上板２ａに取り付けられる点で異なる。一開閉体３３に取り付けられる太陽電池１４は、一筐体２に取り付けられる二次電池１５と配線２８等を介して電気的に接続される。二次電池１５は、複数の開閉体３３に取り付けられる電気式施解錠装置１３ａと配線２９等を介して電気的に接続される。配線２９は、三つの筐体２間（組付体２Ｅ間）において、図中左側の組付体２Ｅの筐体２に取り付けられる二次電池１５と、図中中央及び右側の各組付体２Ｅの電気式施解錠装置１３ａとを電気的に接続する。配線２８，２９は、少なくとも一部が筐体２に配置されてもよい。
配線２６，２９は、三つの筐体２間（組付体２Ｅ間）において、太陽電池１４、二次電池１５及び電気式施解錠装置１３ａの内の少なくとも一組を電気的に接続するものであればよい。
【００３７】
図５、図６に示す例では、太陽電池１４は、開閉体３３のヒンジ３０側で縦長に配置される。なお、図５、図６に示す例に対し、各筐体２の開口が観音開きの一対の開閉体３３で開閉される構成に限らず、各筐体２の開口が単一のヒンジ開閉式の開閉体３３で同一方向に開閉される構成（図３、図４参照）であってもよい。
図７に示す什器１Ｇでは、複数の引き出し式の開閉体３が上下に並ぶ領域と複数のヒンジ開閉式の開閉体３３が左右に並ぶ領域とが混在し、それぞれの領域で前述の太陽電池１４等の配置が適用される。
【００３８】
図７に示す例では、二つの筐体２が上下に重なって（隣接して）設けられる。上側の筐体２は、前面開口が観音開きの一対の開閉体３３により開閉される。下側の筐体２は、前面開口が引き出し式の上下三段の開閉体３により開閉される。太陽電池１４は、上側の筐体２における図中右側の開閉体３３Ｒのさらに上半部に取り付けられる。上側の筐体２において、図中右側の開閉体３３Ｒには二次電池１５及び電気式施解錠装置１３ａが取り付けられる。下側の筐体２において、各開閉体３には二次電池１５及び電気式施解錠装置１３ａが取り付けられる。
【００３９】
太陽電池１４は、自身が取り付けられる開閉体３３の二次電池１５と配線３４を介して電気的に接続されるとともに、他の開閉体３の二次電池１５と配線３５等を介して電気的に接続される。配線３５は、筐体２間を電気的に接続する。太陽電池１４が取り付けられる開閉体３３の二次電池１５は、自身が取り付けられる開閉体３３の電気式施解錠装置１３ａと配線３６を介して電気的に接続される。下側の筐体２において、各開閉体３の二次電池１５と電気式施解錠装置１３ａとは、配線３７を介して電気的に接続される。
【００４０】
図８に示す什器１Ｈは、図７の例に対し、二次電池１５が各開閉体３，３３とは分離して上側の筐体２の例えば上板２ａに取り付けられる点で異なる。一開閉体３３に取り付けられる太陽電池１４は、一筐体２に取り付けられる二次電池１５と配線３８等を介して電気的に接続される。二次電池１５は、各開閉体３，３３に取り付けられる電気式施解錠装置１３ａと配線３９等を介して電気的に接続される。配線３９は、筐体２間を電気的に接続する。
【００４１】
本実施形態では、部屋のレイアウト及び照明の配置等により、光が当たり易い場所を選んで太陽電池１４を配置可能とするために、例えば太陽電池１４を取り付けた開閉体３，３３を筐体２に対して着脱可能とし、この開閉体３，３３を異なる開閉位置に取り付け可能とする。引き出し式の開閉体３の場合は、引き出し５として着脱可能としたり、あるいは開閉体３を収納部４に対して着脱可能として、開閉体３を異なる開閉位置に取り付け可能とする。
【００４２】
図９〜図１１に示す例では、引き出し式の什器において、開閉体３と筐体２との間に、開閉体３の閉時に電気的に接続されるコネクタ部４１〜４４が設けられる。
図９〜図１１において、引き出し５の開閉体３の外周部３ａと引き出し収納空間５ｂの框部１１との間には、コネクタ部４１，４２が設けられる。具体的に、コネクタ部４１，４２における例えばオス型端子及びメス型端子の一方が開閉体３側、他方が筐体２側にそれぞれ設けられる。
【００４３】
外周部３ａの左右側部にコネクタ部４１を設ける場合、開閉体３の閉時にはコネクタ部４１を隠しつつ、開閉体３の開時にはコネクタ部４１の位置を解り易くしてメンテナンスを容易にする。
外周部３ａの下部にコネクタ部４２を設ける場合、コネクタ部４２の露出が抑えられ、かつ使用者が触れることも抑えられて、コネクタ部４２にカバーを設ける等の対応が不要になる。筐体２には仕切り板９があるので、この仕切り板９又は下板２ｄの後縁部と外周部３ａの下部との間にコネクタ部４２を設けることが可能である。
【００４４】
図９、図１０において、引き出し５の収納部４の後板４ｃと筐体２の後板２ｂとの間には、コネクタ部４３が設けられる。この場合、コネクタ部４３の露出がより抑えられ、かつ使用者が触れることもより抑えられる。
図９、図１０において、引き出し５のラッチ板１２ａと筐体２の係止爪１２ｂ又はその近傍との間には、コネクタ部４４が設けられる。この場合、コネクタ部４４の露出がより抑えられ、かつ使用者が触れることもより抑えられる。また、開閉体３の閉時に機械的に係合するラッチ板１２ａを用いて、コネクタ部４４がより確実に電気的に接続される。
【００４５】
図１２に示す例では、ヒンジ開閉式の什器において、扉としての開閉体３３と筐体２との間に、開閉体３３Ｒの閉時に電気的に接続されるコネクタ部４５が設けられる。
以上のように、開閉体３，３３の閉時にのみ電気的に接続するコネクタ部４５を設けることで、開閉体３，３３の開閉を検出するリミットスイッチ（センサ）を無くすことが可能となり、可動接点等を無くすことに加え、さらなるコストメリットが期待できる。
【００４６】
図１５に示す例では、引き出し式の什器において、筐体２のベース部８で下板２ｄ上に二次電池１５ａが配置され、この二次電池１５ａから充電用の配線４６ａ及び給電用の配線４７ａが框部１１の側部に向けて延びる。一方、開閉体３に取り付けられる太陽電池１４からは充電用の配線４６ｃが、電気式施解錠装置１３ａからは給電用の配線４７ｃが、それぞれ外周部３ａの側部に向けて延びる。筐体２側の各配線４６ａ，４７ａの先端部にはそれぞれ充電用又は給電用の端子４６ｂ，４７ｂが設けられ、開閉体３側の各配線４６ｃ，４７ｃの先端部にはそれぞれ充電用又は給電用の端子４６ｄ，４７ｄが設けられる。筐体２側の端子４６ｂと開閉体３側の端子４６ｄ、及び筐体２側の端子４７ｂと開閉体３側の端子４７ｄは、それぞれ開閉体３を閉じたときに互いに電気的に接続する充電用コネクタ部４６及び給電用コネクタ部４７を構成する。
【００４７】
図１５では、上下に重なる引き出し５を備える場合の例として、下板２ｄ上の単一の二次電池１５ａから框部１１の図中左右の側部に向けてそれぞれ配線４６ａ，４７ａを延ばし、図中左側の配線４６ａ，４７ａは下段側の開閉体３に対応する位置に延ばし、図中右側の配線４６ａ，４７ａは上段側の開閉体に対応する位置に延ばしている。
充電用コネクタ部４６及び給電用コネクタ部４７は、互いに一体のコネクタハウジングに設けられる構成でもよい。図中符号１５ｂは後側（奥側）の下部補強フレーム７ｂ上に配置される二次電池の例を示す。図中符号１５ｃは側板２ｃに配置される二次電池の例、符号１５ｄは後板２ｂ（裏板）に配置される二次電池の例をそれぞれ示す。
【００４８】
前記コネクタ部４１〜４７は、太陽電池１４及び二次電池１５の有無によらず、全開閉体３，３３に共通の構成及び配置で設けておくことで、前述の如く太陽電池１４を取り付けた開閉体３，３３を異なる開閉位置に取り付ける際にも、開閉体３，３３側の太陽電池１４と筐体２側の配線及び二次電池１５等とを電気的に接続可能となる。すなわち、太陽電池１４を取り付けた開閉体３，３３を、光が当たり易い開閉位置を選んで取り付け可能となる。
【００４９】
太陽電池１４を取り付けた開閉体３，３３を異なる開閉位置に取り付け可能とする構成の他、例えば太陽電池１４を開閉体３，３３及び筐体２に対して着脱可能なモジュールとし、太陽電池１４を単独で什器における異なる位置に取り付け可能としてもよい。すなわち、開閉体３，３３及び筐体２に複数の太陽電池取り付け部を設け、光の当たり易さに応じて任意の太陽電池取り付け部に太陽電池１４を取り付ける構成としてもよい。この場合、太陽電池１４の着脱、追加及び移動がより容易になり、太陽電池１４の設置自由度がさらに向上する。
【００５０】
本実施形態の什器では、執務時等には例えば施解錠装置１３を解錠しておくことにより、開閉体３，３３を自由に開閉して什器内に各種の書類等を収納可能とし、あるいは収納した書類等を取り出し可能とする。
また、執務時間が終了する夜間及び休日等の前には、メインコントローラ（図示せず）のカードリーダに認証カードを近づける等により、施解錠装置１３の電気式施解錠装置１３ａを作動させ、開閉体３，３３を施錠する。電気式施解錠装置１３ａの駆動電力は二次電池１５から供給可能である。二次電池１５は太陽電池１４によって充電可能である。
【００５１】
太陽電池１４と二次電池１５とが開閉体３，３３の開閉に応じて電気的に接続又は遮断される構成では、開閉体３，３３を閉じた状態で二次電池１５の充電が行われる。二次電池１５の充電量が不足して電気式施解錠装置１３ａを駆動できない場合には、機械式施解錠装置によって強制的に開閉体３，３３が解錠される。
また、電気式施解錠装置１３ａを駆動する二次電池１５を備えるので、ＡＣ１００Ｖ等の外部電源を必要とせず、かつ二次電池１５の充電は太陽電池１４によって行われるので、外部電源を電気的に接続したり充電器を用いて充電したりすることを不要とし、配線の簡略化及びメンテナンスの容易化が図られる。
【００５２】
そして、本実施形態の什器では、電源装置の太陽電池１４が、電気機器を備える複数の開閉体３，３３の内、一部の開閉体３，３３のみの前面に取り付けられる構成とすることで、全ての開閉体３，３３に太陽電池１４を取り付ける場合と比べて、太陽電池１４の数を減らすことができる。このとき、受光量が少なく発電量が少ないと考えられる個所には太陽電池１４を設けず無駄を排し、受光量が多く発電量が多いと考えられる個所には太陽電池１４を設けて効率よく発電することができる。
また、什器の開閉体３，３３の前面（立面）は物が置かれず、かつ壁又は他の什器等が隣接することもないので、太陽電池１４の受光面への採光が阻害されず、発電量を確保することができる。
すなわち、太陽電池１４を備える什器において、太陽電池１４による発電を良好にするとともにコストの増大を抑えることができる。
【００５３】
また、複数の開閉体３，３３の各々が、太陽電池１４を着脱可能な太陽電池取り付け部を備える構成とすることで、あるいは、筐体２が、太陽電池１４を取り付けた開閉体３，３３を着脱可能な複数の開閉体取り付け部を備える構成とすることで、什器等のレイアウト変更時にも、太陽電池１４を効率良く発電できる個所に容易に設置することができる。
【００５４】
また、複数の開閉体３，３３の少なくとも一部が、上下に複数並んで配置され、太陽電池１４が、上下に複数並ぶ開閉体３の内、最上段を含み最下段を避けた位置の開閉体３に取り付けられる構成とすることで、あるいは、太陽電池１４が、開閉体３３の前面における下半部を避けて上半部に配置される構成とすることで、受光量が多く発電量が多いと考えられる個所に太陽電池１４を配置することができ、太陽電池１４により効率よく発電することができる。
【００５５】
また、複数の電気機器に電力を供給可能な電源装置が、太陽電池１４により充電可能な二次電池１５を備え、二次電池１５が、複数の電気機器に電気的に接続されて駆動電力を供給可能とするとともに、複数の電気機器の数よりも少ない数に設けられる構成とすることで、複数の電気機器と同数の二次電池１５を設ける場合と比べて、二次電池１５の数を減らし、コストの増大を抑えることができる。
また、筐体２と複数の開閉体３，３３とを組み付けた組付体２Ｅが複数隣接して配置され、複数の組付体２Ｅの間で、太陽電池１４、二次電池１５及び電気機器の内の少なくとも一組が電気的に接続される構成とすることで、複数の組付体２Ｅ間で太陽電池１４及び二次電池１５を共用でき、太陽電池１４及び二次電池１５の数を減らすことができる。
【００５６】
また、本実施形態の什器では、電源装置の太陽電池１４が、開閉体３，３３に取り付けられ、電源装置の二次電池１５が、筐体２に取り付けられる構成とすることで、二次電池１５から複数の電気機器に給電し易くなり、二次電池１５を電気機器とともに全ての開閉体３，３３に取り付ける場合と比べて、二次電池１５の数を容易に減らすことができる。
また、比較的大型の筐体２に二次電池１５を取り付けることで、二次電池１５の取り付けスペースを確保し易くなり、二次電池１５を開閉体３，３３に取り付ける場合と比べて、二次電池１５の収納スペースへの張り出しを抑えることができる。
すなわち、太陽電池１４により充電可能な二次電池１５によるコスト及び収納容量への影響を抑えることができる。
また、二次電池１５を筐体２に取り付けることで、開閉体３，３３の構造が簡素化され、開閉体３，３３の設計自由度を向上させるとともに、開閉体３，３３の重量及び嵩が低減して什器の組み立て及び設置の作業性を向上させ、かつ開閉体３，３３の開閉を軽快にすることができる。
【００５７】
また、開閉体３，３３に取り付けられる太陽電池１４と筐体２に取り付けられる二次電池１５とを電気的に接続可能なコネクタ部４１〜４７を備え、コネクタ部４１〜４７が、開閉体３，３３の閉時に電気的に接続状態となり、開閉体３，３３の開時に切断状態となる構成とすることで、開閉体３，３３を筐体２に組み付けて閉状態とするのみで、筐体２に取り付けた二次電池１５を開閉体３，３３に取り付けた太陽電池１４で充電可能とすることができる。また、コネクタ部４１〜４７を開閉体３，３３の開閉動作検知用のリミットスイッチとして利用し、専用のリミットスイッチを不要にしてコストダウンを図ることができる。
【００５８】
また、開閉体３を含む引き出し５を備え、コネクタ部４４が、引き出し５の閉時に係合状態となるラッチ部１２ｃに設けられる構成とすることで、あるいは、コネクタ部４１，４２が、引き出し５の表板である開閉部３の外周部３ａの裏面に設けられる構成とすることで、あるいは、コネクタ部４３が、引き出し５の引き出し方向奥側に位置する奥板（後板４ｃ）の裏面に設けられる構成とすることで、コネクタ部４１〜４４の露出を抑え、外観向上及び接触防止を図ることができる。
【００５９】
また、開閉体３，３３及び筐体２の間に、開閉体３，３３を筐体２に開閉動可能に連結する連結部（スライドレール１０又はヒンジ３０）を備え、前記連結部を介して、開閉体３，３３に取り付けられる太陽電池１４と筐体２に取り付けられる二次電池１５とが電気的に接続される構成とすることで、開閉体３，３３を筐体２に組み付けるのみで、筐体２に取り付けた二次電池１５を開閉体３，３３に取り付けた太陽電池１４で充電可能とすることができる。
【００６０】
また、二次電池１５が、筐体２の天井板（上板２ａ）の裏面（下面）に配置される構成とすることで、比較的大型の天井板の裏面を二次電池１５の設置スペースとし、二次電池１５の容量を確保することができる。また、二次電池１５を筐体２の板体に沿う隙間部分に敷き詰めるように設置し、筐体２内の空間を効率よく利用することができる。
また、二次電池１５が、筐体２のベース部８に配置される構成とすることで、二次電池１５を低位置として什器の重心を下げることができる。
また、二次電池１５が、筐体２のベース部８の奥側フレーム（後補強フレーム７ｂ）上に配置される構成とすることで、什器の重心を下げるとともに、二次電池１５をフレーム部材で支持し、かつ筐体２の奥側で目立たなくすることができる。
【００６１】
なお、本発明は前記実施形態に限定されることなく、本発明の主旨を逸脱しない範囲で種々の変更が可能である。
二次電池１５（バッテリ）に代わる蓄電体として、キャパシタ（コンデンサ）を用いてもよい。コンデンサとしては、例えば電気二重層コンデンサが好適である。コンデンサは二次電池に比べて小型化できるので、取り付けスペースが十分に取れないような場合に特に好適である。
太陽電池１４は蓄電体を介して間接的に電気機器に電力を供給可能とするが、太陽電池の性能によっては蓄電体を介さず直接的に電気機器に電力を供給可能としてもよい。太陽電池を用いず外部電源で蓄電体を充電可能としたり、一次電池を用いて電気機器を駆動して非常時等にのみ太陽電池を利用可能とする構成でもよい。
【００６２】
例えば、二次電池１５（蓄電体）は筐体２に対して取り付け位置を変更可能としてもよい。すなわち、筐体２の複数個所（上板２ａ、後板２ｂ、側板２ｃ及び下板２ｄの内、複数の板部）に、それぞれ一つ又は複数の蓄電体取り付け部を設けてもよい。複数の蓄電体取り付け部は互いに電気的に接続し、何れの蓄電体取り付け部に取り付けた蓄電体からも電気機器に電力供給可能とし、かつ何れの蓄電体取り付け部に取り付けた蓄電体にも太陽電池から充電可能とする。これにより、蓄電体の設置位置の移動及び増設が可能であり、取り付けスペース及び必要電力等に応じて畜電体を設けることができる。
【００６３】
開閉体に備える電気機器としては、電気錠に限らず、例えばＬＥＤ等の灯火器、又は液晶パネル等の表示装置、等が有り得る。灯火器は、例えば開閉体が開いているか閉じているかを表示する開閉表示装置として機能する。表示装置は、例えば収納物に関する情報及び蓄電体の充電状態等の各種情報の表示媒体として機能する。
前記実施形態ではオフィス収納であるキャビネットを例に説明したが、本発明はキャビネットに限定されず、例えばデスク、テーブル、ロッカー及びクローゼット等の種々の収納、又は種々の家具にも適用できる。
【符号の説明】
【００６４】
１Ａ〜１Ｈ  什器
２  筐体
２ａ  上板（天井面）
３  開閉体（表板）
３ａ  外周部
４  収納部
４ｃ  後板（奥板）
５  引き出し
７ｂ  後補強フレーム（奥側フレーム）
８  ベース部
１０  スライドレール（連結部）
１２ｃ  ラッチ部
１３ａ  電気式施解錠装置（電気機器）
１４  太陽電池（電源装置）
１５  二次電池（電源装置、蓄電体）
３０  ヒンジ（連結部）
３３  開閉体
４１〜４７  コネクタ部
【図１】
0006629517.tif 000002
【図２】
0006629517.tif 000003
【図３】
0006629517.tif 000004
【図４】
0006629517.tif 000005
【図５】
0006629517.tif 000006
【図６】
0006629517.tif 000007
【図７】
0006629517.tif 000008
【図８】
0006629517.tif 000009
【図９】
0006629517.tif 000010
【図１０】
0006629517.tif 000011
【図１１】
0006629517.tif 000012
【図１２】
0006629517.tif 000013
【図１３】
0006629517.tif 000014
【図１４】
0006629517.tif 000015
【図１５】
0006629517.tif 000016